(57)【特許請求の範囲】
【請求項１】
中空状のランプシェードと、ランプシェード内に設置する発光体と、前記発光体を立設する基台と、前記ランプシェードの周辺に配置した壁面とを備える照明装置において、
前記ランプシェードは陶磁器製として先端尖鋭の中空円錐状に形成すると共に、断面Ｖ字形状の多数の条溝を周壁面外面の周方向に等間隔に形成し、
前記条溝間に形成される外方向に凸状のＶ字形状の頂角の角度は前記周壁面の曲率が大きくなるにつれ漸次大きくなるよう形成し、
前記周壁面の後面に、上下方向に直列に配設した複数の縦方向の細長孔と、前記縦方向の細長孔の両側に設けた複数の横方向の細長孔とを穿設すると共に、前記縦方向の細長孔および前記横方向の細長孔の両側に多数の円孔を穿設し、
前記横方向の細長孔は前記縦方向の細長孔の両側に同じ高さに穿設した２本の細長孔を一組として上下方向に複数組形成し、
前記発光体のフィラメントは逆Ｖ字状とし、
前記周壁面の前面に、上方から下方に向かってらせん状に密集させた多数の円孔を穿設し、
前記発光体より照射する光が前記縦方向の細長孔と前記横方向の細長孔と前記円孔とを透過する際に前記壁面に前記縦方向の細長孔と前記横方向の細長孔と前記円孔との形状により羽を広げた孔雀のように造形された投影光を投影すべく構成した
ことを特徴とする照明装置。
【発明の詳細な説明】
【技術分野】
【０００１】
本発明は、ランプシェードを備える照明装置に関する。
【背景技術】
【０００２】
従来、照明装置として、陶器や磁器、プラスチック等の素材で笠形状や覆い形状に形成したシェードの表面に複数の貫通孔を設け、同シェード内にランプを光源として設置し、同ランプから放射された光を前記貫通孔に透光させることで、光を発するような設置型の照明装置が知られている。
【０００３】
このような照明装置は、陶器製のシェードに設けた複数の貫通孔から、ランプのフェラメント形状の模様による投影像を、前記シェードのさらに外方に配設した球状のグローブに投影し、この投影像を観賞したり、また、複数の貫通孔で装飾模様が形成されている場合には光が透射されると貫通孔を直視して観賞することで楽しむものであった（例えば、特許文献１参照）。
【特許文献１】実開平６−５８５０９号公報
【発明の開示】
【発明が解決しようとする課題】
【０００４】
しかしながら、上述した陶器製の照明装置は、複数の貫通孔から放射された透光を周辺の壁面に大きく投影するものでなく、仮に投影した場合であっても、壁面に単純な光の模様が映し出されるのみで、未だ十分な趣向が凝らされているとは言い難いものであった。
【０００５】
すなわち、透光により投影された光の造形が単純であるため、観賞して楽しむことができるものではなかった。
【０００６】
本発明は、斯かる事情に鑑みてなされたものであって、壁体に投影光を投影することにより、鑑賞者にさらなる美感を生起させることのできる照明装置を提供する。
【課題を解決するための手段】
【０００７】
請求項１に記載の発明は、中空状のランプシェードと、ランプシェード内に設置する発光体と、発光体を立設する基台と、ランプシェードの周辺に配置した壁面とを備える照明装置において、ランプシェードは陶磁器製として先端尖鋭の中空円錐状に形成すると共に、断面Ｖ字形状の多数の条溝を周壁面外面の周方向に等間隔に形成し、条溝間に形成される外方向に凸状のＶ字形状の頂角の角度は周壁面の曲率が大きくなるにつれ漸次大きくなるよう形成し、周壁面の後面に、上下方向に直列に配設した複数の縦方向の細長孔と、縦方向の細長孔の両側に設けた複数の横方向の細長孔とを穿設すると共に、縦方向の細長孔および横方向の細長孔の両側に多数の円孔を穿設し、横方向の細長孔は縦方向の細長孔の両側に同じ高さに穿設した２本の細長孔を一組として上下方向に複数組形成し、発光体のフィラメントは逆Ｖ字状とし、周壁面の前面に、上方から下方に向かってらせん状に密集させた多数の円孔を穿設し、発光体より照射する光が縦方向の細長孔と横方向の細長孔と円孔とを透過する際に壁面に縦方向の細長孔と横方向の細長孔と円孔との形状により羽を広げた孔雀のように造形された投影光を投影すべく構成したことを特徴とする。
【発明の効果】
【００１４】
請求項１に記載の発明によれば、中空状のランプシェードと、ランプシェード内に設置する発光体と、発光体を立設する基台と、ランプシェードの周辺に配置した壁面とを備える照明装置において、ランプシェードは陶磁器製として先端尖鋭の中空円錐状に形成すると共に、断面Ｖ字形状の多数の条溝を周壁面外面の周方向に等間隔に形成し、条溝間に形成される外方向に凸状のＶ字形状の頂角の角度は周壁面の曲率が大きくなるにつれ漸次大きくなるよう形成し、周壁面の後面に、上下方向に直列に配設した複数の縦方向の細長孔と、縦方向の細長孔の両側に設けた複数の横方向の細長孔とを穿設すると共に、縦方向の細長孔および横方向の細長孔の両側に多数の円孔を穿設し、横方向の細長孔は縦方向の細長孔の両側に同じ高さに穿設した２本の細長孔を一組として上下方向に複数組形成し、発光体のフィラメントは逆Ｖ字状とし、周壁面の前面に、上方から下方に向かってらせん状に密集させた多数の円孔を穿設し、発光体より照射する光が縦方向の細長孔と横方向の細長孔と円孔とを透過する際に壁面に縦方向の細長孔と横方向の細長孔と円孔との形状により羽を広げた孔雀のように造形された投影光を投影すべく構成したので、暗室にて発光体を点灯した場合に、発光体よりの光が周壁面に穿設された縦方向の細長孔、横方向の細長孔、および円孔を透射して、複数の透射光が壁面に到達すると同壁面に羽を広げた孔雀のような造形を投影する効果があり、さらに、同透光の造形を壁面に大きく投影する効果もある。
【発明を実施するための最良の形態】
【００２１】
本発明は、中空状のランプシェードと、ランプシェード内に設置する発光体と、前記発光体を立設する基台とを備える照明装置において、前記ランプシェードは、周壁面に円孔、細長孔、星型状孔、三日月型状孔とよりなる透光孔のうち少なくとも１種類以上の前記透光孔を多数穿設すると共に底部に発光体を挿入可能な底部開口を形成し、前記発光体より照射する光が前記透光孔を透過する際にランプシェードの周辺に配置した壁面に前記透光孔の形状により造形された投影光を投影すべく構成したことを特徴とする照明装置を提供するものである。
【００２２】
ここで、ランプシェードの形状は内部が中空であれば特に限定されるものではなく、例えば、笠形状、半球形状（ドーム形状）、砲弾形状（ロケット形状）、球形状、多角錐形状等、使用者の用途に合わせて適宜選択することができる。
【００２３】
また、ランプシェードを形成する素材についても、光源から発せられる熱に耐性を有する素材であれば特に限定されるものではなく、陶磁器、陶器、磁器、合成樹脂、金属、紙等とすることができる。
【００２４】
発光体は、光を放射する光源であればあらゆるものを使用することができ、例えば、白熱球、蛍光灯、ＬＥＤ（発光ダイオード）等とすることができる。但し、光源から発せられる光の強さは、少なくとも透光孔を介して壁体に至ることができる程度の強さが必要となる。
【００２５】
また、発光体から発せられる光は可視光に限定されるものではなく、例えば、紫外線としても良い。光源として紫外線放射体をランプシェード内に配設し、壁面に蛍光物質を塗布しても、壁体に投影光を投影することができる。
【００２６】
ランプシェードの周壁面には、光源からの光を透過させるための透光孔を穿設している。この透光孔は、円孔、細長孔、星型状孔、三日月型状孔、花弁状孔としているため、壁面に各孔に応じた投影光を投影することができる。
【００２７】
しかも、これらの透光孔を多数穿設しているため、壁面に投影された投影光群は、あたかも天の川や銀河を思わせるような美しい映像を投影することができるのである。
【００２８】
特に、ランプシェードの周壁面に頂部から下方へ曲線を描くように透光孔群を形成することにより、壁面に投影された投影光群をより絵画のような天の川状とすることができる。但し、この透光孔群を形成する場合において、ランプシェード表面における透光孔同士の間隔は、２〜８ｍｍの範囲内で形成するのが望ましい。２ｍｍを下回ると、壁面に投影された投影光同士が過度に重複して単一の透光孔から放射された投影光が見えづらくなり、また、８ｍｍを上回ると単一の透光孔から放射された投影光が独立しすぎて、絵画のような天の川状の投影を行うことができなくなるおそれがある。
【００２９】
また、これらの透光孔の内周面は、ランプシェードの外方に下向きの下り勾配を設けて形成しても良い。すなわち、照明装置を配設した床面に軸線を向けた透光孔を設けることで、床面に投影光を投影することができる。
【００３０】
また、透光孔の内周面は、ランプシェードの外方に向かって拡開状のテーパーに形成しても良い。このような構成とすることにより、透光孔の絞りを開いた状態とすることができ、投影光の周縁部が淡くなるいわゆる「にじみ」の効果を生起させることができる。
【００３１】
一方で、透光孔の内周面は、前記ランプシェードの内方に向かって拡開状のテーパーに形成しても良い。このような構成とすることにより、透光孔の絞りを絞った状態とすることができ、透光孔の周縁部をシャープにして、投影光をくっきりと見せることができる。
【００３２】
なお、これらの透光孔の内壁面には、光源からの光を反射する反射材を設けるようにしても良い。すなわち、光源から発せられる光の放射方向と、透光孔の軸線方向とが異なる場合であっても、透光孔の内壁面に反射材を配設することにより、透光孔を通過する光を効率的にランプシェードの外方へ導くことができる。また、透光孔内で光を乱反射させて、投影される投影光をより複雑な形状とし、さらに美しい投影光とすることができる。
【００３３】
この反射材は、光源からの光を反射できる素材であれば特に限定されるものではなく、例えば、白色の塗料や、金属、石英粉末等とすることができる。また、これらに着色を施して、投影光に色彩を表現するようにしても良い。
【００３４】
ところで、中空状のランプシェードと、ランプシェード内に設置する発光体と、前記発光体を立設する基台とを備える従来までの照明装置は、一般に投影光を看者に見せるものであって、ランプシェード自体の意匠性を楽しませるものとは言い難い。
【００３５】
すなわち、暗闇で光を発しているランプシェードの近傍にいる看者は、投影光は認識できるものの、透光により眩惑されているため、ランプシェード自体の意匠は認識しづらいものであった。
【００３６】
そこで、本発明に係る照明装置では、ランプシェードは、形成する素材を陶磁器とし、発光体からの照射光が前記ランプシェードの表面へ漏光すべく構成するようにしている。
【００３７】
このような構成とすることにより、ランプシェード自体もほのかに明るくすることができ、鑑賞者に対し、投影光のみならず、ランプシェードの意匠自体も楽しませることができるのである。
【００３８】
具体的な構成としては、例えば、ランプシェードの周壁面に一定間隔で条溝を形成する方法が挙げられる。透光孔からの光を状溝で反射させながらランプシェードの外面を沿わせることにより、ランプシェードを明るくすることができる。
【００３９】
また、透光孔は、ランプシェードの略円形状の周壁面に穿設した細長孔と、前記細長孔の両側に穿設した多数の外方に上向きの上り勾配の円孔とより構成するようにしても良い。
【００４０】
このような構成とすることにより、細長孔より透射した透光は、壁面に上下方向に細長く投影することができ、しかも、ピンホール効果により円孔から透射した透光は、フィラメントの形状を投影像として投影することで同複数のフィラメント形状の投影像の集合体よりなる像は、絵画や影絵のような孔雀が羽根を開いたような造形となり壁面や天井面に投影することが可能となる。
【００４１】
以下、本実施形態に係る照明装置を図面を用いてさらに具体的に説明する。
【００４２】
図１は照明装置の正面図、図２は図１のＡ−Ａ線断面図、図３は照明装置を示す底面図、図４は照明装置の要部を示す断面図、図５は、単体の透光孔よりの投影を説明する構成図、図６は、２つの透光孔よりの投影を説明する構成図、図７は透光孔の断面図、図８（ａ）は照明装置の要部を示す平面図、図８（ｂ）は図８（ａ）のＢ−Ｂ線断面図である。
【００４３】
本実施形態に係る照明装置１は、図１及び図２に示すように、ランプシェード２とランプシェード２を載置し発光体３を立設する基台４とより構成している。
【００４４】
ランプシェード２は、中空略球状に形成し、球形状の頂部１０には大径の孔２０を設け、球形状の周壁面１１には略円孔２２、略星形状孔２３、略三日月形状孔２４の透光孔２１を多数穿設し、さらに同周壁面１１に条溝３０を等間隔に形成している。この球状の周壁面１１には、上方から中途部に向かって斜めに多数の円孔２２を密集して穿設し、上方から下方に向かって一定間隔を設けて複数の星形状孔２３や複数の略三日月形状孔２４を散りばめながら穿設して設けている。
【００４５】
そして、このランプシェード２は、図２及び図３に示すように、陶磁器とし、底部１２に切欠部２７と、基台４に立設した発光体３を挿入可能な底部開口２８と、脚部となる下面先端が平坦な突起１３とを形成しており、基台４上に立設したランプ３に上方よりランプシェード２を被せることにより、同ランプシェード２の底部開口２８内にランプ３が挿入され、切欠部２７からランプ配線５が引き出されて、さらに上面平坦な突起１３が基台４上面１４に当接されることで、ランプシェード２が基台４上に載置されることとなる。
【００４６】
基台４は、一定厚みの正方形状に形成され、同基台４の上面１４は鏡面加工が施された大理石で構成されている。
【００４７】
さらに、本実施形態の照明装置は、以下のような特徴を有している。
【００４８】
ランプ３を点灯すると、図４に示すように、同ランプ３より放射状に光を放射しており、この放射状に放射された光Ｌは、ランプシェード２に穿設した各種形状の透光孔２１を透過することで、図１に示すように、周壁面１１上の大小複数の円孔による天の川状の成形部２９と周壁面１１上に一定間隔で離間して散りばめられた複数の星形状孔２３及び複数の三日月形状孔２４による周壁面１１上に点灯する装飾を直視し観賞可能とする効果があり、さらに、各透光孔２１を透過した透光は、周囲の床面Ｆ、壁面Ｗ、天井面Ｒに大小複数の円孔からなる天の川状の成形部２９による絵画のような投影像を投影し、一定間隔で離間して散りばめられた複数の星形状孔２３及び複数の三日月形状孔２４による絵画のような投影像を投影することが可能である。すなわち、鑑賞者にとっては、周壁面１１上の複数の透光孔２１を直視したときの明暗と、透光孔２１より周囲の壁面Ｗ等に大小複雑な投影像と同投影像の明暗により幻想的な印象を醸し出す効果がある。
【００４９】
また、周壁面１１に穿設した透光孔は、図５に示すように、ランプシェード２の外方に下向きの下り勾配となるように形成した内周面（図７（ａ）参照）を有しており、内周面を備えた透光孔から透過した透光は、床面Ｆ等上において投影像１５を投影することができる。すなわち、内周面２１の断面視における下辺３４と床面Ｆは、角度θ1をなし、また、内周面の断面視における上辺３５と床面Ｆは、角度θ２をなしており、角度θ１と角度θ２は、それぞれ鋭角をなしている。
【００５０】
かかる角を鋭角とすることにより、内周面２１の断面視下辺３４における延長線上の床面Ｆに投影される透光Ｌ２は高輝度となり、また、内周面２１の断面視上辺３５における延長線上の床面Ｆに投影される透光Ｌ３は低輝度となることで、ランプシェード２の載置した位置より離れるに連れて投影像１５が拡がり最後にはフェード化する効果がある。すなわち、鑑賞者にとっては、フェード化した投影像によりさらに幻想的な印象を醸し出す効果がある。
【００５１】
さらに、周壁面１１に穿設した透光孔２１は、図６に示すように、同周壁面１１の上下方向の位置において、一定間隔を設けて形成しており、周壁面１１の下方の透光孔２１と周壁面１１の上方の透光孔２１から透過する各透光Ｌ４，Ｌ５が床面上において２つの投影像１５，１５を前後方向で重なり合うように２つの透光孔２１を周壁面１１に穿設している。
【００５２】
従って、周壁面１１に大小複数穿設した円孔より透過する透光は、床面上においてランプシェードの載置位置を基準に前後方向に重なり合いながら装飾性の高い投影像を投影することが可能となる効果がある。
【００５３】
また、周壁面には、同周壁面の左右の周方向の位置においても、２つの透光孔を一定間隔を設けて形成している。２つの透光孔から透過する透光は、床面上において２つの投影像を左右方向で重なり合うように投影することが可能となり、従って、周壁面に大小複数穿設した円孔より透過する透光は、左右方向に重なり合いながら装飾性の高い投影像の集合体を投影することが可能となる効果がある。
【００５４】
上述した透光孔の内周面を外方に向かって下向きの下り勾配に形成する以外に、図７（ｂ）に示すように、透光孔２１の内周面は、下方方向に穿設した外方に向かって拡開状のテーパーに形成してもよい。かかる構成とすることで、ランプ３を点灯した場合、照明装置１の載置位置より下方方向にある周辺の壁面Ｗや床面Ｆに円孔形状の透光孔２１より透光した光Ｌが壁面Ｗに各種形状の投影像１５、すなわちフィラメントの投影像５１が反転して大きく投影することが可能となる効果がある。
【００５５】
図７（ｃ）に示すように、透光孔２１の内周面は、ランプシェード２の内方に向かって拡開状のテーパーに形成してもよい。かかる構成とすることで、ランプ３を点灯した場合、照明装置１の載置位置より水平方向にある周辺の壁面Ｗや床面Ｆに透光孔２１より透光した光Ｌが絞られ短い距離で各種形状の投影像１５として小さく投影することが可能となる効果がある。
【００５６】
ランプシェードの周壁面の曲面位置に応じて図７中の透光孔２１の内周面の構成を組み合わせることでさまざまな形、透光による陰影の投影像を投影することが可能となる。
【００５７】
また、透光孔２１のうち略星形状孔２３や略三日月形状孔２４を透射した光Ｌは、略星形状孔２３や略三日月形状孔２４の像を模様として壁面Ｗなどに投影させ、さらに、略円孔２２より透射した光Ｌは、ピンホール効果により天井面Ｒ、壁面Ｗや床面Ｆにランプ３のフィラメント６の形状の像を反転した模様の投影像として投影させることが可能となる。
【００５８】
さらに、本実施形態の照明装置におけるランプシェードの周壁面１１には、周方向に等間隔の条溝３０を形成している。周壁面１１に形成したＶ字形状の条溝３０は、図８（ｂ）に示すように、ランプシェード２の曲率が大きくなるにつれ、条溝３０の頂角３１の角度αも漸次大きくなるにように形成される。
【００５９】
一方、図８（ａ）に示すように、透光孔２１を透過した光Ｌのうち、Ｖ字形状の条溝３０に沿って進行する回折光Ｌ１は、Ｖ字形状の条溝３０を形成する両斜面３２，３２に反射されながらジグザク状に進行することとなる。
【００６０】
他方、透光孔２１より透過した光Ｌが壁面Ｗや床面Ｆに照射された後、反射した光Ｌ２は、再度、ランプシェード２の周壁面１１に到達し、周壁面１１を照らし出すこととなる。このとき周壁面１１に形成した下方のＶ字形状の条溝３０は、ランプシェードの曲率が大きいほど頂角３１を漸次大きくなるように形成されており、この条溝３０を構成する各斜面３２，３２の面積も下方ほど広くなるため、反射光Ｌ２を広い受光面積で受光可能とする構成としている。
【００６１】
本実施形態の照明装置１の発光体を点灯すると、暗室内において、略球状の周壁面１１に穿設した略円孔２２や略星形状孔２３などから光Ｌが透射されて、同照明装置の周辺にある壁体Ｗ及び同照明装置の載置床面Ｆに、略星形状の投影像や、Ｖ字形状の投影像などの複雑な形状の模様として大きく投影される。さらに、透過した光Ｌうち漏光Ｌ１が、ランプシェード２の周壁面１１のＶ字形状の条溝３０に沿って反射しながら進行することにより、鑑賞者にとって逆光状態にかかわらずランプシェード２の周壁面１１を観賞することが可能となり芸術性を向上する効果がある。
【００６２】
かかるＶ字形状の条溝３０により、逆光状態であっても各反射光Ｌ１，Ｌ２がランプシェード２の周壁面１１を浮き立たせて観賞可能にならしめる。また、上述した基台４の上面１４は、鏡面加工されており、透光孔２１より透射した光Ｌが基台４上面１４で反射されランプシェード２の周壁面１１に形成されたＶ字形状の条溝３０に照射されることにより、周壁面１１を浮き立たせて観賞可能な構成としている。
【００６３】
上述した実施形態の照明装置１は、ランプシェード２の形状を中空略球形状としたが、以下に説明する他の実施形態の照明装置４１は、ランプシェード２の形状を先端尖鋭の中空円錐形状とする点が異なるものである。他の実施形態の照明装置４１の構成においては、上述した実施形態の照明装置１と同一符号を付して重複説明を省略する。図９は他の実施の形態に係る照明装置を示す正面図である。図１０は他の実施の形態に係る照明装置の点灯状態示す斜視図である。
【００６４】
他の実施形態に係る照明装置４１は、図９に示すように、先端尖鋭の中空円錐状に形成し、下部周面暫時縮径状とした形状のランプシェード２とランプシェード２を載置し発光体３を立設する基台４とより構成している。ランプシェード２の周壁面１１の前面には、上方から下方に向かってらせん状に円孔２２を密集して穿設し、また、一定の間隔を設けて桜の花びら形状孔２６を穿設している。さらに、周壁面１１の後面には、上方から下方に向かって縦方向及び横方向に略細長孔２５を多数穿設している。細長孔の両側に穿設した外方に上向きの上り勾配の円孔２２を多数形成している。さらに、周壁面１１には、一定間隔の条溝３０（図示しない）が形成されている。
【００６５】
暗室内でランプ３を点灯すると、図１０に示すように、周壁面１１の後面の細長孔２５から透射した光Ｌが周辺の壁面Ｗに上下方向、斜め方向に間延びした細長の光として投影され、また、細長孔２５の両側に穿設した多数の円孔２２より透射した光Ｌが天井面Ｒや壁面Ｗや床面Ｆにフィラメントの形状によるＶ字状の投影像５１をランプシェードから離間するにつれ重ね合うように徐々に大きく投影することができる。フィラメントの形状の投影像５１の集合体は、絵画のような孔雀が羽根を広げたような造形として観賞することが可能となる。しかも、透光孔２１より透光Ｌ１は、周壁面１１のＶ字形状の条溝３０に光Ｌ１が反射しながら進行し、さらに、天井面Ｒ、壁体Ｗや床面Ｆで乱反射した光Ｌ２はＶ字形状の条溝３０に到達することにより、ランプシェード２の先端尖鋭の中空円錐形状を浮き立たせて、逆光状態においても観賞可能となる。また、略細長孔２５や桜の花びら形状孔２６を透射した光Ｌは、略細長孔２５の投影像５０や桜の花びら形状孔２６の投影像５２を床面Ｆ、壁面Ｗ、天井面Ｒに投影することで、先のフィラメントの投影像５１との相乗効果で絵画のような複雑な投影像を作り出して観賞することができる。
【００６６】
なお、ランプシェードは、陶磁器としたが、材質を特に限定するものではなく、無機材、樹脂等を用いたものでもよい。ランプシェード２の形状としては、中空略球状や先端尖鋭の中空円錐状の形状に限定するものではなく、例えば、中空円筒状、中空逆円錐状等の形状であってもよい。
【００６７】
なお、透光孔２１としては、略円孔２２、略星形状孔２３、略三日月形状孔２４、略細長孔２５や桜の花びら形状孔２６に限らず芸術性を醸し出す貫通孔の形状であれば、これらの形状に限定するものではない。
【００６８】
また、透光孔２１は、拡開状のテーパーとすることでピンポール効果によりフィラメント６の形状の虚像を投影できる反面、光量が少ないため虚像の造影が暗くなる。
【００６９】
発光体としては、フィラメント６の形状がひし形の白熱灯のランプを用いたが、蛍光灯、ＬＥＤ照明灯、有機ＥＬ照明灯などの照明灯を用いるようにしてもよい。
【００７０】
円孔の径が小さい場合には、ピンホール効果によりランプのフィラメント６の形状が投影面に投影される。例えば、フィラメント６の形状がひし形の場合には、略Ｖ字形状の模様が投影されるが、この孔の径を可変することで、虚像の大きさや明るさを調整することが可能となる。
【００７１】
なお、基台には、大理石を用いたが、人工大理石、無機材、樹脂等を用いたものでもよく材質を限定するものではない。
【００７２】
以上、本発明の好ましい実施の形態について説明したが、本発明は係る特定の実施形態に限定されるものではなく、特許請求の範囲に記載された本発明の要旨の範囲内において、種々の変形・変更が可能である。
【図面の簡単な説明】
【００７３】
【図１】本実施の形態に係る照明装置を示す正面図である。
【図２】図１のＡ−Ａ線断面図である。
【図３】本実施の形態に係る照明装置を示す底面図である。
【図４】本実施の形態に係る照明装置の要部を示す断面図である。
【図５】単体の透光孔よりの投影を説明する構成図である。
【図６】２つの透光孔よりの投影を説明する構成図である。
【図７】透光孔を示す断面図である。
【図８】（ａ）本実施の形態に係る照明装置の要部を示す平面図である。（ｂ）図８（ａ）のＢ−Ｂ線断面図である。
【図９】他実施の形態に係る照明装置を示す正面図である。
【図１０】他実施の形態に係る照明装置の点灯状態を示す斜視図である。
【符号の説明】
【００７４】
１，４１  照明装置
２  ランプシェード
３  発光体
４  基台
５  ランプ配線
６  フィラメント
１０  頂部
１１  周壁面
１２  底部
１３  突起
１４  上面
１５  投影像
２０  孔
２１  透光孔
２２  円孔
２３  星形状孔
２４  三日月形状孔
２５  細長孔
２６  桜の花びら形状孔
３０  溝
３１  頂角
３２  斜面
５０  細長孔の投影像
５１  Ｖ字状投影像
５２  桜の花びら形状の投影像
Ｆ  床面
Ｗ  壁面
Ｒ  天井面
【図１】
0005296391.tif 000002
【図２】
0005296391.tif 000003
【図３】
0005296391.tif 000004
【図４】
0005296391.tif 000005
【図５】
0005296391.tif 000006
【図６】
0005296391.tif 000007
【図７】
0005296391.tif 000008
【図８】
0005296391.tif 000009
【図９】
0005296391.tif 000010
【図１０】
0005296391.tif 000011